(57)【要約】【課題】歩いた歩数と、ユーザーの居る地面の水平面に対する傾斜角度とを一つの装置で同時に知ることができるレベル付き歩数計を提供することにある。【解決手段】  測定条件を設定して操作信号を発生する入力子と、動的状態での加速度の変化の信号と静的状態での重力による加速度の信号とを測定する加速度計速モジュールと、加速度計速モジュールからの測定信号と、入力子からの操作信号とが入力される相互関連処理ユニットと、相互関連処理ユニットの加速度計速モジュールから入力された測定信号を加速度計速モジュールにフィードバックして、動的状態での加速度の大きさ及び方向値と、静的状態での水平面に対する傾斜角度とを計算する信号処理ユニットと、信号処理ユニットからの信号を入力して、信号処理ユニットからの動的状態および静的状態でのデータのうちの何れかの一つを表示する表示子とを備えている。【選択図】図２
0003155862.tif 000002
【実用新案登録請求の範囲】
【請求項１】
測定条件を設定して操作信号を発生する入力子（２０）と、
動的状態での加速度の変化の信号と、静的状態での重力によるＸ軸とＹ軸とＺ軸とに沿う加速度の信号と、を測定する加速度計速モジュール（３０）と、
前記入力子（２０）及び前記加速度計速モジュール（３０）と通信可能に連接され、前記加速度計速モジュール（３０）からの測定信号と、前記入力子（２０）からの操作信号と、が入力される相互関連処理ユニット（４０）と、
前記相互関連処理ユニット（４０）及び前記加速度計速モジュール（３０）と通信可能に連接され、前記相互関連処理ユニット（４０）の前記加速度計速モジュール（３０）から入力された測定信号を前記加速度計速モジュール（３０）にフィードバックして、動的状態での加速度の大きさ及び方向値と、静的状態での水平面に対する傾斜角度とを計算する信号処理ユニット（５０）と、
前記信号処理ユニット（５０）と通信可能に連接され、前記信号処理ユニット（５０）からの信号を入力して、前記信号処理ユニット（５０）からの動的状態および静的状態でのデータのうちの何れかの一つを表示する表示子（６０）と、
を備えることを特徴とするレベル付き歩数計。
【請求項２】
前記表示子（６０）により表示する内容は、動的状態での歩数、および／又は静的状態での水平面に対する傾斜角度であることを特徴とする請求項１に記載のレベル付き歩数計。
【請求項３】
前記信号処理ユニット（５０）は、更に出力子（７０）と無線信号受理ユニット（５１）とに通信可能に連接され、前記出力子（７０）は、メモリスロット、またはＵＳＢポートであり、前記無線信号受理ユニット（５１）は、ユーザーの着用する衣服の一部に取付けられた体調測定センサー（９３）からの生理信号が入力されてこれを計算する体調測定装置（９０）と無線で通信可能に連接されることを特徴とする請求項１に記載のレベル付き歩数計。
【考案の詳細な説明】
【技術分野】
【０００１】
本考案は、身の回りに携帯できるレベル付き歩数計に関するものである。
【背景技術】
【０００２】
従来の歩数計は、ユーザーの身の回りに携帯して歩いたとき、歩いた歩数を計数することができ、ユーザーの歩行による運動量を知ることができる。
【０００３】
しかしながら、歩いた歩数と、地面の水平面に対する傾斜角度と、を同時に知りたい場合には、従来の歩数計の他に、レベル計を別に携帯することが必要であり、携帯する測定器の数が増える不利がある。
【０００４】
これまでに、所持する人の動作や姿勢に影響されずに歩数が測定できるような補正手段として水平に対する傾斜角度を検出するセンサーを有する歩数計の提案がある〔例えば、特許文献１、２参照〕。
【先行技術文献】
【特許文献】
【０００５】
【特許文献１】特開２００７−１７８３０３号公報
【特許文献２】特開平０９−２２３２１４号公報
【考案の概要】
【考案が解決しようとする課題】
【０００６】
本考案の主な目的は、歩いた歩数と、ユーザーの居る地面の水平面に対する傾斜角度と、を一つの装置で同時に知ることができるレベル付き歩数計を提供することにある。
【課題を解決するための手段】
【０００７】
本考案の請求項１に記載のレベル付き歩数計によると、測定条件を設定して操作信号を発生する入力子（２０）と、動的状態での加速度の変化の信号と、静的状態での重力によるＸ軸とＹ軸とＺ軸とに沿う加速度の信号とを測定する加速度計速モジュール（３０）と、入力子（２０）及び加速度計速モジュール（３０）と通信可能に連接され、加速度計速モジュール（３０）からの測定信号と、入力子（２０）からの操作信号とが入力される相互関連処理ユニット（４０）と、相互関連処理ユニット（４０）及び加速度計速モジュール（３０）と通信可能に連接されて、相互関連処理ユニット（４０）の加速度計速モジュール（３０）から入力された測定信号を加速度計速モジュール（３０）にフィードバックして、動的状態での加速度の大きさ及び方向値と、静的状態での水平面に対する傾斜角度とを計算する信号処理ユニット（５０）と、信号処理ユニット（５０）と通信可能に連接され、信号処理ユニット（５０）からの信号を入力して、信号処理ユニット（５０）からの動的状態および静的状態でのデータのうちの何れかの一つを表示する表示子（６０）と、を備えている。
【０００８】
本考案の請求項２に記載のレベル付き歩数計によると、表示子（６０）により表示する内容は、動的状態での歩数、および／又は静的状態での水平面に対する傾斜角度である。
【０００９】
本考案の請求項３に記載のレベル付き歩数計によると、信号処理ユニット（５０）は、更に出力子（７０）と無線信号受理ユニット（５１）とに通信可能に連接され、出力子（７０）は、メモリスロットまたはＵＳＢポートであり、無線信号受理ユニット（５１）は、ユーザーの着用する衣服の一部に取付けられた体調測定センサー（９３）からの生理信号が入力されてこれを計算する体調測定装置（９０）と無線で通信可能に連接される。
【考案の効果】
【００１０】
本考案のレベル付き歩数計によれば、歩いた歩数と、ユーザーの居る地面の水平面に対する傾斜角度とを一つの装置で同時に知ることができるという効果を有する。
【図面の簡単な説明】
【００１１】
【図１】本考案のレベル付き歩数計の外観を示す斜視図である。
【図２】本考案のレベル付き歩数計の機能を示すブロック図である。
【図３】本考案の体調測定装置の取付け状態を示す概念図である。
【図４】本考案のレベル付き歩数計によりレベルを測定することを説明する模式図である。
【図５】本考案のレベル付き歩数計によりレベルを測定することを説明する模式図である。
【考案を実施するための形態】
【００１２】
本考案の実施の形態を図面に基づいて説明する。
図１及び図２を参照する。本考案のレベル付き歩数計１０は、入力子２０と、加速度計速モジュール３０と、相互関連処理ユニット４０と、信号処理ユニット５０と、表示子６０と、を主用構成要素としている。入力子２０は、測定条件を設定して操作信号を発生するもので、ユーザーは、入力子２０により測定条件を自由に設定することができる。
【００１３】
加速度計速モジュール３０は、動的状態での加速度の変化の信号と、静的状態での重力によるＸ軸とＹ軸とＺ軸とに沿う加速度の信号とを測定する。加速度計速モジュール３０は、３軸加速度センサーでもよい。
【００１４】
相互関連処理ユニット４０は、入力子２０と加速度計速モジュール３０と通信可能に連接されて、加速度計速モジュール３０からの測定信号と、入力子２０からの操作信号が入力される。
【００１５】
信号処理ユニット５０は、相互関連処理ユニット４０と加速度計速モジュール３０と通信可能に連接され、相互関連処理ユニット４０において加速度計速モジュール３０から入力された測定信号を、加速度計速モジュール３０にフィードバックして、加速度計速モジュール３０が動的状態での加速度の変化、又は静的状態での重力によるＸ軸とＹ軸とＺ軸とに沿う加速度を測定するかを自動的に判別することができ、そして計算により動的状態での加速度の大きさと方向と、静的状態での水平面に対する傾斜角度と、を得ることができる。
【００１６】
表示子６０は、信号処理ユニット５０と通信可能に連接され、信号処理ユニット５０からの信号が入力されて、信号処理ユニット５０からの動的状態でのデータと静的状態でのデータのうちの何れかの一つを表示する。例えば表示子６０により表示される内容は、動的状態での歩数、静的状態での水平面に対する傾斜角度である。
【００１７】
信号処理ユニット５０には、更に、出力子７０と通信可能に連接される。出力子７０は、メモリスロットでもいいし、ＵＳＢポートでもよく、本考案のレベル付き歩数計により測定した加速度の変化がメモリスロットやＵＳＢポートを介して出力することができる。また、信号処理ユニット５０には、更に、温湿度測定センサー８０が設けられ、外部環境における温度、湿度を測定することができ、これらのデータを表示子６０で表示、出力子７０から出力でき、動的状態での歩数、静的状態での水平面に対する傾斜角度の参考情報として提供できる。
【００１８】
図３を参照する。信号処理ユニット５０は、更に、無線信号受理ユニット５１に通信可能に連接される。無線信号受理ユニット５１は、後述する体調測定装置９０に設けられた無線信号伝送ユニット９１と無線で連接される。
【００１９】
体調測定装置９０は、ユーザー（図示せず）の着用する衣服９２の一部、例えば図３に示すようにユーザーの腕に設けられる体調測定センサー９３によりユーザーの生理信号を測定し、これを、同じく衣服９２に設けられた導電部分により伝送され、これを計算するものである。体調測定装置９０には、無線信号伝送ユニット９１を有して、レベル付き歩数計１０にある無線信号受理ユニット５１と無線で連接されて、これにより、ユーザーは自分の生理状態（例えば心拍数）を表示子６０で表示、出力子７０から出力でき、動的状態での歩数、静的状態での水平面に対する傾斜角度の参考情報として提供できる。
【００２０】
図４を参照する。本考案のレベル付き歩数計１０を地面８５に置いたとき、加速度計速モジュール３０は、３軸加速度センサーにより三つの軸に沿う加速度であるＡｙ、Ａｘ及びＡｚをそれぞれ測定する。ＡｙおよびＡｘの値がゼロであり、Ａｚの値が１Ｇであるとき、レベル付き歩数計１０は地面に対する傾斜角度が零度にあることを示している。
【００２１】
図５を参照する。Ｙ方向にθ度傾斜する傾斜面８６にレベル付き歩数計１０を置くと、Ａｘの値がゼロであり、Ａｚの値がｃｏｓθ×１Ｇであり、Ａｙの値がｓｉｎθ×１Ｇであり、レベル付き歩数計１０は、水平面に対してＹ方向にθ度傾斜していると認識する。
【００２２】
上記の説明から明らかなように、レベル付き歩数計１０は、加速度計速モジュール３０の水平面に対する傾斜角度の変化により、Ｙ軸とＸ軸とＺ軸とに沿い重力による加速度であるＡｙ、Ａｘ及びＡｚをそれぞれ測定することができ、且つＡｙ、Ａｘ、Ａｚそれぞれの値が一定の関係を有する。これにより、地面（図示せず）に対しレベル付き歩数計１０が、静止時にＹ軸、Ｘ軸およびＺ軸に沿う重力による加速度によって発生する等価電圧値をそれぞれ測定することができ、これら等価電圧値からＹ軸、Ｘ軸およびＺ軸に沿う重力加速度を推定することができる。これにより、レベル付き歩数計１０の水平面に対する傾斜角度を知ることができる。
【００２３】
本考案のレベル付き歩数計１０は、ゴルフ時に使用することができる。ユーザーは、レベル付き歩数計１０を着用すると、運動の量を即時に知ることができ、且つ生理状態を即時に監視することもでき、そして緑の傾斜角度を知ることができ、温湿度測定センサー８０により外部環境の温度と湿度とを知るすることができ、傾斜角度、温度さらに湿度によりパターの角度と強さとを決める参考にできる。すなわち、本考案のレベル付き歩数計１０は、信号処理ユニット５０により、加速度計速モジュール３０が動的状態での加速度の変化、又は静的状態での水平面に対する傾斜角度を測定するかを自動的に判別することができ、そして信号処理ユニット５０の計算により、動的状態での加速度の大きさ及び方向値と、静的状態での水平面に対する傾斜角度と、を知ることができる。本考案のレベル付き歩数計によれば、歩いた歩数と、所在地の地面の水平面に対する傾斜角度と、を一つの装置で同時に知ることができる。
【産業上の利用可能性】
【００２４】
本考案は、歩数計に適用することができる。
【符号の説明】
【００２５】
１０：レベル付き歩数計
２０：入力子
３０：加速度計速モジュール
４０：相互関連処理ユニット
５０：信号処理ユニット
５１：無線信号受理ユニット
６０：表示子
７０：出力子
８０：温湿度測定センサー
８５：地面
８６：傾斜面
９０：体調測定装置
９１：無線信号伝送ユニット
９２：（導電性付き）衣服
９３：体調測定センサー。
【図１】
0003155862.tif 000003
【図２】
0003155862.tif 000004
【図３】
0003155862.tif 000005
【図４】
0003155862.tif 000006
【図５】
0003155862.tif 000007